(57)【要約】形態変化可能なリング（１）が、中心面にスロット（３）を具備した環状体（２）を備え、スロット（３）に収容できる連結要素（５）が、環状体（２）と共働して、少なくとも一つの装飾要素（１０）を環状体（２）に取り付けるための座を形成する。
2006525833.tif 000002
【特許請求の範囲】
【請求項１】
形態変化可能なリング（１）において、
中心面にスロット（３）を具備した環状体（２）を備え、スロット（３）に収容できる連結要素（５）が、環状体（２）と共働して、少なくとも一つの装飾要素（１０）を環状体（２）に取り付けるための座を形成することを特徴とするリング。
【請求項２】
少なくとも一つの装飾要素（１０）が、前記環状本体（２）に着脱可能に取り付けできることを特徴とする請求項１に記載のリング。
【請求項３】
連結要素（５）を環状体（２）に蝶番結合する手段（７）を備えること、を特徴とする請求項１に記載のリング。
【請求項４】
前記環状体（２）が、同じ形状をした一対の同軸環状要素（２ａ，２ｂ）から成ることを特徴とする請求項３に記載のリング。
【請求項５】
連結要素（５）を環状体（２）に蝶番結合する前記手段が、環状体（２）の二つの環状要素（２ａ，２ｂ）を固定同軸位置に保持するピン（７）から成ることを特徴とする請求項４に記載のリング。
【請求項６】
前記一対の環状要素（２ａ，２ｂ）に溶接された補強要素（１３）を備え、連結要素（５）がその利用位置にある時、補強要素（１３）に連結要素（５）を当接させることを特徴とする請求項４に記載のリング。
【請求項７】
連結要素（５）が、円周部分に沿って延びて、蝶番結合端部と反対側に自由端部（８）を有することを特徴とする請求項１に記載のリング。
【請求項８】
連結要素（５）が、前記環状体（２）に画定された少なくとも一つの凹部（１２）と一致するように配置され、少なくとも一つの座を形成するため、少なくとも一つのループ（１１）を有することを特徴とする請求項１に記載のリング。
【発明の詳細な説明】
【技術分野】
【０００１】
本発明は、形態変化可能なリングに関するものである。本発明において、リングは、例えばリングとして指に嵌めたり、ペンダントとして身に付けることができる、何等かの装飾品を意味している。
【背景技術】
【０００２】
既知のリングは、伝統的に環状体の形をして装飾的要素を具備しており、装飾的要素は宝石、塗料または様々な装飾品から作ることができ、環状体に直接形成されるか、その中に入れている。
【０００３】
明らかなように、別の形態も広く行き渡っているタイプであり得る。
【０００４】
リングの共通の特徴は、それらが全く異なった形状を提供できるが、それらの形態または形状が一旦形成されると、変形できないことである。
【０００５】
従って、従来のリングはユーザーに最も適している考えられる装飾的な構成を提供することができない。
【発明の開示】
【発明が解決しようとする課題】
【０００６】
本発明の目的は、様々な形態になるリングを提供することによって、前記の制限を克服し、ユーザーの個人的な要求を基に、ユーザーにリングの外観を変えることを可能にすることである。
【０００７】
前記の目的の範囲内で、本発明の特別な課題は、形態変化可能なリングを提供し、その外観を工具または何等かの能力も必要とせずに、ごく簡単且つ直ぐに変えることができることである。
【０００８】
本発明の別の目的は、特別な構造的特徴によって、使用時に信頼性と安全性を広く補償する、形態変化可能なリングを提供することである。
【０００９】
本発明の更に別の目的は、共通して商業的に利用可能な要素及び材料を簡単に使用でき、形態変化可能なリングを提供することであり、またそれはコストの競合向上にもなる。
【課題を解決するための手段】
【００１０】
前記の目的は、記載された別の課題と共に、以下で明らかになるように、請求項１で定義したような本発明による形態変化可能なリングによって、達成される。
【発明を実施するための最良の形態】
【００１１】
本発明の特徴及び利点は、形態変形可能なリングの詳細な記載から、本発明を制限しない一例として図示された添付図面を参照することにより、更に明らかになるであろう。
【実施例１】
【００１２】
特に図面の符号を参照すると、本発明による形態変化可能なリングは、全体を符号１で示されており、中心面にスロット３を有した環状体２を備えている。
【００１３】
環状体は、環状体の外部分と互いに結合する短い部分を除いて、実質的に全て円周状の伸長部を具備している。
【００１４】
実質的に、環状本体２は外部分を形成する二つの同軸環状要素２ａおよび２ｂから成っており、同軸管状要素はピン７によって互いに等距離で接続するように保持されている。
【００１５】
円周部分として延びている連結要素５を、スロット３に収容できる。
【００１６】
前記連結要素５が、有利には一方の端部で、蝶番結合手段即ち図面上のピン７によって、環状体２に蝶番結合され、全体を符号１０で示した装飾要素を、環状体に取り付け可能な固定されていない反対側の端部８を有している。
【００１７】
実際に、連結要素５は、二つの環状要素２ａと２ｂとの間に介在して、自由に回転するようにピン７を通す穴を具備した、蝶番結合端部に備えられる。
【００１８】
有利には、連結要素５が環状体２、すなわち両方の環状要素２ａ及び２ｂにおいて画定されている対応した凹部１２と組み合わさる、多数のループ１１を有して、装飾要素１０を取り外し可能に結合するための座を画定するようになっている。
【００１９】
上記の装置により、ユーザーが利用可能なリングを持つことができ、装飾要素１０を変更することによって、リングの外観を思いのままに変えることができる。装飾要素は、連結要素５に取り付けでき且つ、連結要素５と環状体２を組合わせることによって画定された座に適所で保持される。
【００２０】
本質的に、ピン７が環状体２の二つの環状要素２ａ及び２ｂを、固定同軸位置に保持しており、ユーザーが連結要素５をピン７の周囲で回転させることによって、連結要素５を上げる。装飾要素１０が、自由端部８を介して挿入され、前記連結要素５が再び閉じられて、装飾要素１０がループ１１と各凹部１２との間に形成された座に配置されるようになっている。この方法で作られたリングを手の指にはめることによって、連結要素５がピン周囲を回転しないようにして、装飾要素１０がそれらの座から外れないようになる。
【００２１】
環状体２の構造的な剛性を改良するため、補強要素１３を二つの環状要素２ａ、２ｂの外周部に接着でき、そこに連結要素５を当接させ、その時に連結要素がその利用位置になる。
【００２２】
加えて、連結要素５用の着脱可能なロックシステムを使用でき、それによりリング１を指に嵌めていない時、利用位置を移動可能動なように保持できる。
【００２３】
上記から、本発明が与えられた課題を達成することは明らかである。
【００２４】
特にリングは、ユーザーの要求を基に異なる装飾要素を、工具などを使用する必要なく、ユーザーに直接薦めることができる。
【００２５】
特に使用、提供される材料は、それらが特別な使用に影響を及ぼさないで、寸法及び不確定な形状を思い通りに、要求によって選択できる。
【図面の簡単な説明】
【００２６】
【図１】本発明によるリングと開放位置の連結要素の概略図。
【図２】使用中の本発明によるリングの概略図。
【図３】リングの側面図。
【図１】
2006525833.tif 000003
【図２】
2006525833.tif 000004
【図３】
2006525833.tif 000005
【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】
中心面にスロット（３）を具備した環状体（２）を備え、スロット（３）に収容できる連結要素（５）が、環状体（２）と共働して、少なくとも一つの装飾要素（１０）を環状体（２）に取り付けるための座を形成する、形態変化可能なリング（１）において、
環状体が、保持要素に対応したループ（１１）に連結するため少なくとも一つの凹部（１２）を備えて、環状体の軸に開き、前記連結要素（５）の一方の端部（８）を介して挿入される装飾要素（１０）を受容して保持するのに適切な、少なくとも一つの座を形成することを特徴とするリング。
【請求項２】
保持要素が環状形態であり、180°以上の伸長部を有することを特徴とする請求項１に記載のリング。
【請求項３】
保持要素は、環状体の中心スロットの一端に蝶番結合され、且つ自由端部を有し、自由端部を介して挿入できることを特徴とする請求項１に記載のリング。
【請求項４】
前記環状体（２）が、同じ形状をした一対の同軸環状要素（２ａ，２ｂ）から成り、連結要素（５）を環状体（２）に蝶番結合する前記手段が、環状体（２）の二つの環状要素（２ａ，２ｂ）を固定同軸位置に保持するピン（７）から成ることを特徴とする請求項３に記載のリング。
【国際調査報告】
2006525833.tif 000006
2006525833.tif 000007